(57)【要約】 【課題】ＢＤ用の２倍速記録メディアに所定の書き込み形状で且つ最適なパワーで情報を書き込むこと。【解決手段】レーザダイオードをピークパワーで駆動し、その後、クールパワーで駆動する期間中、前記レーザダイオードをピークパワーで駆動する電流を、当初の期間、ｏｆｆ  ｓｐｅｅｄ  ｕｐのレベルの電流まで落として、発光出力を急速且つ歯切れよく最小パワーまで落とすことにより、ＢＤ用の２倍速記録メディアの記録領域を所定の書き込み形状として記録トラックからはみ出すことを防止する。その後、残りの期間、ｏｆｆ  ｐｏｗｅｒの電流レベルまで戻す制御を行うことにより、次にレーザダイオードをピークパワーで駆動する際にレーザダイオードの発光に遅延がなくなるため、レーザの発光波形を崩すことをなく、最適なパワーで情報を書き込むことができる。【選択図】図２
2006179113.tif 000002
【特許請求の範囲】
【請求項１】
光ディスクにレーザを照射して情報を書き込む光ディスク記録装置であって、
前記レーザを出射するレーザダイオードと、
前記レーザダイオードを駆動制御する駆動制御手段とを具備し、
前記駆動制御手段は、前記レーザダイオードを最大レベルのパワーで駆動し、その後、最小レベルのパワーで駆動する期間に入る時、前記レーザダイオードを最大レベルのパワーで駆動する電流を、当初の期間、第１のレベルの電流まで落とし、その後、残りの期間、前記第１のレベルよりも若干大きく且つ前記最小レベルのパワーを維持する第２のレベルの電流まで戻す制御を行うことを特徴とする光ディスク記録装置。
【請求項２】
前記駆動制御手段は、前記レーザダイオードを最小レベルのパワーで駆動する期間で、且つその駆動電流が前記第２のレベルにある時、前記レーザダイオードに前記最大レベルのパワーで駆動する電流を流して、前記レーザダイオードを最大レベルのパワーで駆動する期間に入ることを特徴とする請求項１記載の光ディスク記録装置。
【請求項３】
前記駆動制御手段は、前記レーザダイオードを最小レベルのパワーで駆動する期間で、且つその駆動電流が前記第２のレベルにある時、前記最大レベルと前記最小レベルの間にある第３のレベルのパワーで駆動する電流を前記レーザダイオードに流して、前記レーザダイオードを第３のレベルのパワーで駆動する期間に入ることを特徴とする請求項１記載の光ディスク記録装置。
【請求項４】
前記レーザダイオードから発生するレーザの波長は４００〜４１５ｎｍであり、且つ前記光ディスクは２倍速記録メディアであることを特徴とする請求項１記載の光ディスク記録装置。
【請求項５】
光ディスクにレーザダイオードから出射されるレーザを照射して情報を書き込む光ディスク記録方法であって、
前記レーザダイオードを最大レベルのパワーで駆動し、その後、最小レベルのパワーで駆動する期間に入る時、前記レーザダイオードを最大レベルのパワーで駆動する電流を、当初の期間、第１のレベルの電流まで落とし、その後、残りの期間、前記第１のレベルよりも若干大きく且つ前記最小レベルのパワーを維持する第２のレベルの電流まで戻す制御を行うことを特徴とする光ディスク記録方法。
【請求項６】
前記レーザダイオードを最小レベルのパワーで駆動する期間で、且つその駆動電流が第２のレベルにある時、前記レーザダイオードに前記最大レベルのパワーで駆動する電流を流して、前記レーザダイオードを最大レベルのパワーで駆動する期間に入ることを特徴とする請求項５記載の光ディスク記録方法。
【請求項７】
前記レーザダイオードを最小レベルのパワーで駆動する期間で、且つその駆動電流が第２のレベルにある時、前記最大レベルと前記最小レベルの間にある第３のレベルのパワーで駆動する電流を前記レーザダイオードに流して、前記レーザダイオードを第３のレベルのパワーで駆動する期間に入ることを特徴とする請求項５記載の光ディスク記録方法。
【請求項８】
前記レーザダイオードから発生するレーザの波長は４００〜４１５ｎｍであり、且つ前記光ディスクは２倍速記録メディアであることを特徴とする請求項５記載の光ディスク記録方法。
【発明の詳細な説明】
【技術分野】
【０００１】
本発明は、ブルーレイディスク用の光ディスク記録装置に係り、特に、書き込み時のレーザダイオードの駆動制御に関する。
【背景技術】
【０００２】
レーザダイオードを光ピックアップの光源として用いた従来の光ディスクの記録装置では、図４に示すように、レーザダイオード（ＬＤ）２１をレーザダイオード駆動回路２２により駆動するが（例えば特許文献１参照）、それにより、レーザダイオード２１は図５に示すように、ピークパワーＰｐ、バイアスパワーＰｂ，クールパワーＰｃの３段階のパワーで発光する。
【０００３】
ここで、上記した従来の光ディスクの記録装置では、転送レートが１０Ｍｂ／ｓｅｃと遅かったので、記録時の光パルス帯域は１００ＭＨｚあれば十分であった。しかし、レーザの波長が４００〜４１５ｎｍのブルーレイディスク（ＢＤ）を記録再生する装置では、１倍速の３５Ｍｂｐｓ、２倍速の７０Ｍｂｐｓもの転送レートが要求されており、必要な光パルス帯域は３００〜５００ＭＨｚとなる。
【０００４】
このようなＢＤ用の光ディスク記録装置における２倍速メディアのｗｒｉｔｅ  ｓｔｒａｔｅｇｙでは、検討の結果、図５（Ａ）に示すように１倍速で有限値であったクールパワー（３００ｕＷ程度）は不要で、図５（Ｂ）に示すように０ｍＷにした方がジッター、エラーレート、リードスタビィリティー、クロスライト、オーバーライト等の各種特性が良好であることが判明した。
【特許文献１】特開平１０−１４４８０１号公報  （第７頁、第８図）
【発明の開示】
【発明が解決しようとする課題】
【０００５】
上記したようにＢＤ用の光ディスク記録装置では、記録時のレーザパワーに関し、１倍速と２倍速記録メディアで相違点があり、１倍速記録メディアに対して２倍速記録メディアではピークパワーが若干大きいこととクールパワーを０ｍＷとした点にある。しかし、レーザダイオード２１の動作抵抗Ｒｄが大きい場合などには、２倍速記録メディアのレーザパワー波形のクール部に大きなスミアー（図５（Ｂ）のａで示した部分）が発生し、レーザダイオード２１の発光が歯切れよく止まらなくなる。これでは、２倍速記録メディアの書き込み領域に対する熱コントロールが上手く行かないため、記録メディア上の書き込み形状が所定の形にならず、記録トラックからはみ出してしまうことになる。
【０００６】
そこで、このレーザダイオード２１の発光を歯切れよく止めるためには、カットオフ電流を大きくしなければならないが、それでは、次のサイクルでのレーザダイオード２１の発光に遅れを生じてしまう。これでは、書き込みパルスの幅が変わり、ｗｒｉｔｅ  ｓｔｒａｔｅｇｙを変更したことになってしまい、最適なパワーを設定できなくなる。
【０００７】
本発明は前記事情に鑑み案出されたものであって、本発明の目的は、ＢＤ用の２倍速記録メディアに所定の書き込み形状で且つ最適なパワーで情報を書き込むことができる光ディスク記録装置及び方法を提供することにある。
【課題を解決するための手段】
【０００８】
本発明は上記目的を達成するため、光ディスクにレーザを照射して情報を書き込む光ディスク記録装置であって、前記レーザを出射するレーザダイオードと、前記レーザダイオードを駆動制御する駆動制御手段とを具備し、前記駆動制御手段は、前記レーザダイオードを最大レベルのパワーで駆動し、その後、最小レベルのパワーで駆動する期間に入る時、前記レーザダイオードを最大レベルのパワーで駆動する電流を、当初の期間、第１のレベルの電流まで落とし、その後、残りの期間、前記第１のレベルよりも若干大きく且つ前記最小レベルのパワーを維持する第２のレベルの電流まで戻す制御を行うことを特徴とする。  
【０００９】
このように本発明では、レーザダイオードを最大レベルのパワー（ピークパワー）で駆動し、その後、最小レベルのパワー（クールパワー）で駆動する期間に入る時、前記レーザダイオードを最大レベルのパワーで駆動する電流を、当初の期間、第１のレベルの電流まで落として、レーザダイオードの発光出力を急速且つ歯切れよく最小パワーまで落とすことができる。それ故、ＢＤ用の２倍速記録メディアの記録領域を所定の書き込み形状として記録トラックからはみ出すことを防止することができる。その後、残りの期間、前記第１のレベルよりも若干大きく且つ前記最小レベルのパワーを維持する第２のレベルの電流まで戻す制御を行うことにより、次にレーザダイオードを最大レベルのパワーで駆動する際にレーザダイオードを遅延を生じることなく発光させることができ、レーザの発光波形を崩すことなく（発光パルス幅が狭くなる）、最適なパワーで情報を書き込むことができる。
【発明の効果】
【００１０】
本発明によれば、レーザダイオードを最大レベルのパワー（ピークパワー）で駆動し、その後、最小レベルのパワー（クールパワー）で駆動する期間に入る時、前記レーザダイオードを最大レベルのパワーで駆動する電流を、当初の期間、第１のレベルの電流まで落とし、その後、残りの期間、前記第１のレベルよりも若干大きく且つ前記最小レベルのパワーを維持する第２のレベルの電流まで戻す制御を行うことにより、ＢＤ用の２倍速記録メディアに所定の書き込み形状で且つ最適なパワーで情報を書き込むことができる。
【発明を実施するための最良の形態】
【００１１】
ＢＤ用の２倍速記録メディアに所定の書き込み形状で且つ最適なパワーで情報を書き込む目的を、レーザダイオードを最大レベルのパワーで駆動し、その後、最小レベルのパワーで駆動する期間に入る時、前記レーザダイオードを最大レベルのパワーで駆動する電流を、当初の期間、第１のレベルの電流まで落とし、その後、残りの期間、前記第１のレベルよりも若干大きく且つ前記最小レベルのパワーを維持する第２のレベルの電流まで戻す制御を行うことによって実現した。
【実施例１】
【００１２】
図１は、本発明の一実施の形態に係る光ディスク記録装置の構成を示したブロック図である。光ディスク記録装置は、ＢＤ用（波長４０４から４１５ｎｍ）のレーザダイオード（ＬＤ）１、レーザダイオード駆動部２、切替スイッチ部３、書込用プロセッサ４、ピークパワー制御電圧発生部５、クールパワー制御電圧発生部６、補正パルス発生部７、バイアスパワー制御電圧発生部８、フォトダイオード（ＰＤ）９、ＡＰＣエラーアンプ１０及びＣＰＵ１１を有して構成されている。
【００１３】
次に本実施形態の動作について説明する。２倍速書き込み時、レーザダイオード１から発光されたレーザは図示されない光学系を通してＢＤ用の２倍速の記録メディアに照射される。その際、レーザの一部がフォトダイオード９により受光され、その受光電圧がＡＰＣエラーアンプ１０に入力される。ＡＰＣエラーアンプ１０では、書込用プロセッサ４から与えられるバイアスサンプリングパルス（ｂｉａｓ  ｓｐ）により、レーザダイオード１がバイアスパワーで発光している時のフォトダイオード９からの受光電圧をサンプリングし、これとＣＰＵ１１から与えられる基準電圧（Ｖｒｅｆ）と比較し、その差分をバイアスパワー制御電圧発生部８に出力する。
【００１４】
バイアスパワー制御電圧発生部８は、入力される差分が０になるようなバイアスパワー制御電圧を発生して切替スイッチ部３に出力する。切替スイッチ部３は書込用プロセッサ４から図２（Ｃ）に示すようなバイアスパワー出力信号Ｂｐｓが入力されている時、バイアスパワー制御電圧を入力してレーザダイオード駆動部２に出力する。これにより、レーザダイオード駆動部２はバイアスパワー制御電圧に対応する図２（Ｂ）に示すような駆動電流ＩＢｐをレーザダイオード１に出力するため、レーザダイオード１は図２（Ａ）のバイアスパワーＰｂでレーザを出射する。これをフォトダイオード９が受光して、ＡＰＣエラーアンプ１０に出力する。結局、レーザダイオード１、フォトダイオード９、ＡＰＣエラーアンプ１０、バイアスパワー制御電圧発生部８、切替スイッチ部３、レーザダイオード駆動部２から成るフィードバックループにより、レーザダイオード１のバイアスパワー発光出力が所定値に制御される。
【００１５】
一方、ピークパワー制御電圧発生部５、クールパワー制御電圧発生部６、補正パルス発生部７はバイアスパワー制御電圧発生部８から発生されるバイアスパワー制御電圧を基準として各制御電圧を発生するため、バイアスパワーが所定値に制御されれば、前記各制御電圧も所定値に制御される。
【００１６】
切替スイッチ部３は書込用プロセッサ４から図２（Ｄ）に示すようなピークパワー信号Ｐｐｓが入力されると共に、図２（Ｅ）に示すようなクールパワー信号Ｃｐｓが入力される期間、ピークパワー制御電圧発生部５から発生されるピークパワー制御電圧を入力してレーザダイオード駆動部２に出力する。これにより、レーザダイオード駆動部２はピークパワー制御電圧に対応する図２（Ｂ）に示すような電流ＩＰｐをレーザダイオード１に出力し、レーザダイオード１は図２（Ａ）のピークパワーＰｐのレーザを出射する。その後、切替スイッチ部３は書込用プロセッサ４から入力されるピークパワー信号Ｐｐｓがオフされると、クールパワー制御電圧発生部５から発生される図２（Ｅ）に示すようなクールパワー制御電圧を入力してレーザダイオード駆動部２に出力する。
【００１７】
これにより、レーザダイオード駆動部２はクールパワー制御電圧に対応する図２（Ｂ）に示すような電流Ｉｏｆｆ  ｐｏｗｅｒをレーザダイオード２に出力する。しかし、レーザダイオード１をクールパワーで駆動する初動時に、書込用プロセッサ４から図２（Ｆ）に示すような補正信号Ｏｃｓが入力されると、切替スイッチ部３は補正パルス発生部７から発生される補正制御電圧を入力してレーザダイオード駆動部２に出力する。これにより、レーザダイオード駆動部２はレーザダイオード１に流す電流を図２（Ｂ）に示すようにさらにＩｏｆｆ  ｓｐｅｅｄ  ｕｐまで低くし、補正制御電圧が入力されなくなると、レーザダイオード１に流す電流をクールパワー制御電圧に対応する電流レベル（Ｉｏｆｆ  ｐｏｗｅｒ）に戻す。この間、レーザダイオード１は図２（Ａ）のクールパワーＰｃのレーザを出射する。但し、本稿ではレーザダイオード１のクールパワーＰｃ駆動時に０ｍｗを含めるものとし、この実施形態では０ｍｗである。その場合は、レーザダイオード１がクールパワーＰｃのレーザを出射するといっても、実際にはコヒーレントで有意なレーザは出射されないことになる。
【００１８】
その後、切替スイッチ部３は書込用プロセッサ４から図２（Ｄ）に示すようなピークパワー信号Ｐｐｓが入力されると、ピークパワー制御電圧発生部５から発生されるピークパワー制御電圧を入力してレーザダイオード駆動部２に出力する。これにより、レーザダイオード駆動部２はピークパワー制御電圧に対応する電流を図２（Ａ）に示すようにレーザダイオード１に出力し、レーザダイオード１は図２（Ａ）のピークパワーＰｐのレーザを出射する。その後、レーザの発光出力がピークパワーＰｐからクールパワーＰｃに下降する制御は前述と同じである。
【００１９】
次に、上記したクールパワーＰｃの状態で、レーザダイオード１に流れる電流がｏｆｆ  ｐｏｗｅｒのレベルに戻っている状態で、切替スイッチ部３は書込用プロセッサ４から図２（Ｃ）に示すようなバイアスパワー信号Ｂｐｓが入力されると共に、図２（Ｅ）に示すような補正信号Ｏｃｓがオフされると、パイアスパワー制御電圧発生部８から発生されるバイアスパワー制御電圧を入力してレーザダイオード駆動部２に出力する。これにより、レーザダイオード駆動部２はバイアスパワー制御電圧に対応する図２（Ｂ）に示すように電流ＩＢｐをレーザダイオード１に出力し、レーザダイオード１は図２（Ａ）のバイアスパワーＢｐのレーザを遅延なく発光する。
【００２０】
図３は上記レーザダイオード１の駆動時のＩＬカーブを示した特性図である。レーザダイオード１に流れる電流波形は１００のようになり、レーザダイオード１の発光パワー２００を下げる時、電流波形１００は一段と低い値となって、発光パワー２００を急速に下げてスミアーが発生しないようにしている。その後、電流波形１００は少し戻し、その後、再度、レーザダイオード１をピークパワーで発光させる電流値に立ち上がるため、レーザダイオード１は発光遅れなく、速やかに立ち上がり、ピークパワー発光パルスの幅を規格通りとしている。
【００２１】
本実施形態では、ＢＤ用の光ディスクにデータを２倍速で書き込むとき、レーザダイオード１をクールパワーで駆動する初動時に補正信号Ｏｃｓが入力されているタイミングで、レーザダイオード１に流れる電流をｏｆｆ  ｓｐｅｅｄ  ｕｐのレベルまで下げ、その後、ｏｆｆ  ｐｏｗｅｒのレベルに戻った後に、レーザダイオード１にピークパワー時、或いはバイアスパワー時の電流を流すようにしている。これにより、レーザダイオード１はクールパワー期間になると、速やかにその発光を停止し、従来問題となっていたスミアーが発生しないため、２倍速記録メディアの書き込み領域に対する熱コントロールが上手く行き、記録メディア上の書き込み形状を所定の形とすることができ、書き込み領域を記録トラック内に納めることができる。しかも、レーザダイオード１をクールパワーからピークパワーに戻す前に、レーザダイオード１に流れる電流を多少上げてｏｆｆ  ｐｏｗｅｒのレベルに戻しているため、レーザダイオード１はピークパワー電流が流れると、遅延することなく発光するので、書き込みパルス幅をｗｒｉｔｅ  ｓｔｒａｔｅｇｙ通りとすることができ、最適なパワーを設定することができる。
【００２２】
尚、本発明は上記実施の形態に限定されることなく、その要旨を逸脱しない範囲において、具体的な構成、機能、作用、効果において、他の種々の形態によっても実施することができる。
【図面の簡単な説明】
【００２３】
【図１】本発明の一実施の形態に係る光ディスク記録装置の構成を示したブロック図である。
【図２】図１に示したレーザダイオードの発光波形及びこの発光を制御するための制御信号波形を示した図である。
【図３】図１に示したレーザダイオードの駆動時のＩＬカーブを示した特性図である。
【図４】従来のレーザダイオードを用いた光ディスクの記録装置のレーザダイオード駆動系を示したブロック図である。
【図５】図４に示したレーザダイオードの発光波形を示した図である。
【符号の説明】
【００２４】
１……レーザダイオード（ＬＤ）、２……レーザダイオード駆動部、３……切替スイッチ部、４……書込用プロセッサ、５……ピークパワー制御電圧発生部、６……クールパワー制御電圧発生部、７……補正パルス発生部、８……バイアスパワー制御電圧発生部、９……フォトダイオード（ＰＤ）、１０……ＡＰＣエラーアンプ、１１……ＣＰＵ。
【図１】
2006179113.tif 000003
【図２】
2006179113.tif 000004
【図３】
2006179113.tif 000005
【図４】
2006179113.tif 000006
【図５】
2006179113.tif 000007